(57)【特許請求の範囲】
【請求項１】
サイディング領域に対応した寸法に切断されたサイディング材を建物の下地材に取り付けるサイディング材の取付金具であって、
前記取付金具は、前記サイディング材の切断小口に取り付けられるクリップ金具と、前記下地材に固定されて前記クリップ金具の一部を受ける落とし口を備えたクリップ受け金具とにより構成され、
前記クリップ金具を構成するベース板には、前記サイディング材の切断小口に差し込まれる差込み部が設けられると共に、前記ベース板の一部には前記クリップ受け金具によって受けられる掛止め部が形成され、
前記クリップ受け金具は、前記建物の下地材に固定された状態において、前記落とし口に前記クリップ金具の掛止め部が挿入されることで、クリップ金具を係合するように構成され、
前記サイディング材が、前記クリップ金具およびクリップ受け金具からなる取付金具を介して前記下地材に取り付けられることを特徴とするサイディング材の取付金具。
【請求項２】
前記クリップ金具を構成するベース板には、前記サイディング材の切断小口に前記クリップ金具の差込み部が差し込まれた状態において、前記サイディング材の一方の面に当接する突起部が形成され、前記差込み部が前記サイディング材から抜け出るのを阻止できるように構成したことを特徴とする請求項１に記載されたサイディング材の取付金具。
【請求項３】
前記クリップ受け金具は、前記下地材に固定された状態において、上下の両端部に第１と第２の前記落とし口がそれぞれ形成されていることを特徴とする請求項１に記載されたサイディング材の取付金具。
【請求項４】
前記第１の落とし口が、前記クリップ受け金具と建物の下地材との間の隙間により形成される落とし溝であり、前記第２の落とし口が、クリップ受け金具をＵ字状に折り返して加工することにより形成された落とし溝であることを特徴とする請求項３に記載されたサイディング材の取付金具。
【請求項５】
前記クリップ金具に形成された掛止め部は、互いに逆方向に向く上向き掛止め片と、下向き掛止め片とにより構成されていることを特徴とする請求項１ないし請求項４のいずれか１項に記載されたサイディング材の取付金具。
【請求項６】
請求項１ないし請求項５のいずれか１項に記載された取付金具を用いたサイディング材の取付構造であって、
サイディング領域に対応した寸法に切断されたサイディング材の切断小口に形成された係止穴に、前記クリップ金具に形成された差込み部を差込むと共に、前記クリップ金具に形成された掛止め部を、建物の下地材に固定されたクリップ受け金具の落とし口に挿入することで、前記サイディング材を建物の下地材に取り付けたことを特徴とするサイディング材の取付構造。
【発明の詳細な説明】
【技術分野】
【０００１】
この発明は、建物の下地材に対してサイディング材を取り付ける際に用いられる取付金具に関し、特に軒天部や窓下部もしくは窓上部のサッシ位置等に合わせて切断処理したサイディング材を支持する場合において好適に用いることができる取付金具およびその取付金具を用いたサイディング材の取付構造に関する。
【背景技術】
【０００２】
近年における公共の施設や店舗、また戸建住宅等には、意匠および施工性に優れた窯業系サイディング材（セメント質原料および繊維質原料を用いて板状に成形した外壁材）が多用されている。
この種のサイディング材は、初期においては建物の下地材に対して直接釘打ちするか、もしくは取付けビスを用いるなどの工法により取り付けられていた。
【０００３】
この釘打ちもしくは取付けビスによるサイディング材の施工によると、釘もしくはビスの頭が外壁に残るために当該部分の補修をする必要がある。その補修ならびに部分塗装を施した場合には、塗装済みのサイディング材の表面に対して色変わりが発生し、外観を損なうなどの問題を抱えている。
【０００４】
そこで、サイディング材を釘打ちやビスなどで下地材に直接取り付けることは避け、下地材に取付金具を取り付けつつ、この取付金具を介してサイディング材を外側に連続的に取り付けるノンビス構造（金具止め工法）が採用されている。
これによると、サイディング材の表面に釘もしくはビスの頭を残すことがなく、外観を損なうなどの問題が改善される。
【０００５】
図７は、前記したノンビス構造を実現する従来の取付金具を用いたサイディング材の施工例を示したものである。すなわち、図７は前記した複数枚の窯業系サイディング材１を用い、これらが建物の下地に沿って垂直方向に順次積み上げられて施工された様子を、サイディング材の端面の方向から視た例で示すものである。また、図８はこれに用いられる取付金具８の例を斜視図で示したものである。
【０００６】
窯業系サイディング材は、前記したとおり、主原料としてセメント質原料および繊維質原料を用いて板状に押し出し成形し、硬化させたものであり、幅が３００〜６００ｍｍ程度、長さが２０００〜３０００ｍｍ程度になされた各種の規格のものが提供されている。
【０００７】
また、前記各サイディング材１は、その下縁部に沿って雌実２が形成され、上縁部に沿って雄実３が形成されており、下側のサイディング材の上縁部に形成された雄実３に、その上側に施工されるサイディング材の下縁部に形成された雌実２が重ね合わされる。
そして、前記重ね合わせ部において、例えばビス６により下地材７に固定された取付金具８が介在して各サイディング材１が係止される。
【０００８】
従来の前記取付金具８は、図８に示すように下地材７に固定されるベース板８ａと、当該ベース板に対して水平方向に直交するようにして折り曲げられた折り曲げ部８ｂと、当該折り曲げ部の先端に形成されたサイディング材の係止部８ｃにより構成されている。そして、先端部が円弧状に屈曲成形された前記係止部８ｃは、その下面に形成された凹部において前記サイディング材の雄実３を係止すると共に、その上面に形成された凸部において前記サイディング材の雌実２を係止するように作用する。
【０００９】
なお、前記したノンビス構造を実現する取付金具については、次に示す先行技術文献に開示されている。
【先行技術文献】
【特許文献】
【００１０】
【特許文献１】特開平１０−１４８０２４号公報
【特許文献２】特開平１１−６２７０号公報
【特許文献３】特開２００６−１４４３３８号公報
【発明の概要】
【発明が解決しようとする課題】
【００１１】
ところで、前記した取付金具を用い、サイディング材を下から上に向かって順次施工した場合、軒天部や窓下部もしくは窓上部のサッシ位置等に合わせて、サイディング材を切断（カット）することになる。
前記サイディング材の切断により、サイディング材の上縁部に形成された前記雄実が削除されるため、前記した取付金具によりサイディング材の切断部を係止することは不可能になる。
【００１２】
この場合には、図７に示すようにサイディング材１の切断部４における直下の側面に、ドリル等で孔穿け加工を施し、符号９で示す釘やビスなどを用いて下地材７に対して、一部を切断したサイディング材を取り付ける手段が採用される。
また、図には示していないが、前記切断部４の直下におけるサイディング材に形成された中空部にチャンネル受金具を挿通させると共に、Ｌ型の止め金具を利用して前記チャンネル受金具を下地の胴縁側面に取り付ける手段を採用することもある。
【００１３】
前記した前者のサイディング材の施工手段を採用する場合には、釘打ちやビスの取付け部分などの体裁を整えるための補修が必要となり、その補修のために施される部分塗装が、塗装済みのサイディング材の表面に対して色変わりを発生させて、外観を損なうなどの問題が残される。
また、後者のサイディング材の施工手段を採用する場合においても、複雑で手間のかかる細工が必要であり、多くの工数が必要となる。この場合、サイディング材と下地材の間にある通湿防水シートを貼ることができない欠点がある。
【００１４】
この発明は、特に軒天部や窓下部もしくは窓上部のサッシ位置等に合わせて、切断処理したサイディング材を取り付ける場合において好適に用いることができ、一部を切断したサイディング材の取付け施工が容易であり、仕上がりの体裁も良好な取付金具およびその取付金具を用いたサイディング材の取付構造を提供することを課題とするものである。
【課題を解決するための手段】
【００１５】
前記した課題を解決するためになされたこの発明にかかるサイディング材の取付金具は、サイディング領域に対応した寸法に切断されたサイディング材を建物の下地材に取り付けるサイディング材の取付金具であって、前記取付金具は、前記サイディング材の切断小口に取り付けられるクリップ金具と、前記下地材に固定されて前記クリップ金具の一部を受ける落とし口を備えたクリップ受け金具とにより構成され、前記クリップ金具を構成するベース板には、前記サイディング材の切断小口に差し込まれる差込み部が設けられると共に、前記ベース板の一部には前記クリップ受け金具によって受けられる掛止め部が形成され、前記クリップ受け金具は、前記建物の下地材に固定された状態において、前記落とし口に前記クリップ金具の掛止め部が挿入されることで、クリップ金具を係合するように構成され、前記サイディング材が、前記クリップ金具およびクリップ受け金具からなる取付金具を介して前記下地材に取り付けられるように構成した点に特徴を有する。
【００１６】
この場合、前記クリップ金具を構成するベース板には、前記サイディング材の切断小口に前記クリップ金具の差込み部が差し込まれた状態において、前記サイディング材の一方の面に当接する突起部が形成され、前記差込み部が前記サイディング材から抜け出るのを阻止できるように構成されていることが望ましい。
【００１７】
また前記クリップ受け金具は、好ましくは前記下地材に固定された状態において、上下の両端部に第１と第２の前記落とし口がそれぞれ形成された形態になされる。この場合、好ましい形態においては、前記第１の落とし口が、前記クリップ受け金具と建物の下地材との間の隙間により形成される落とし溝になされ、前記第２の落とし口が、クリップ受け金具をＵ字状に折り返して加工することにより形成された落とし溝になされる。
【００１８】
加えて、前記クリップ金具に形成された掛止め部には、互いに逆方向に向く上向き掛止め片と、下向き掛止め片を備えた構成にされ、前記クリップ受け金具に形成された第１と第２の落とし口を選択的に利用できるように構成されることが望ましい。
【００１９】
一方、前記した課題を解決するためになされたこの発明に係るサイディング材の取付構造は、前記したクリップ金具とクリップ受け金具とによる取付金具が用いられ、サイディング領域に対応した寸法に切断されたサイディング材の切断小口に形成された係止穴に、前記クリップ金具に形成された差込み部を差込むと共に、前記クリップ金具に形成された掛止め部を、建物の下地材に固定されたクリップ受け金具の落とし口に挿入することで、前記サイディング材を建物の下地材に取り付けた構成にされる。
【発明の効果】
【００２０】
前記した構成のサイディング材の取付金具およびこれを用いたサイディング材の取付構造によると、軒天部や窓下部に対応させて一部を切断したサイディング材は、上向きの切断小口に形成した係止穴を利用して、クリップ金具に形成された差込み部を差込み、この状態で前記クリップ金具をサイディング材の切断小口に向かってスライドさせる操作を行うことにより、クリップ金具に形成された掛止め部を、下地材に固定されたクリップ受け金具の落とし口に係止させることができる。
このような簡単な操作により、寸法合わせのために一部を切断したサイディング材を容易に施工することができる。
【００２１】
また、窓上部に対応させて一部を切断したサイディング材は、切断小口に形成された係止穴を利用して、クリップ金具の差込み部を差込む操作がなされる。そして、切断小口を下向きにした状態でクリップ金具に形成された掛止め部を、下地材に固定されたクリップ受け金具の落とし口に係止させることで、サイディング材を施工することができる。
この場合、前記クリップ金具に形成された突起部がサイディング材の一方の面（裏面）に当接し、前記クリップ金具の差込み部が重力により前記サイディング材から抜け出るのを阻止させることができるので、サイディング材を円滑かつ容易に施工することができる。
【００２２】
したがって、この発明にかかるサイディング材の取付金具およびこれを用いたサイディング材の取付構造によると、施工者が現状において一般的に用意しているサイディング材を切断することができるノコギリや、切断部分に前記クリップ金具の差込み部を挿入するための係止穴を穿設する既存のドリル工具等を利用することで、新たな特別な工具等を必要とせずにサイディング材を能率的に取付け施工することが可能である。
【００２３】
その上、前記した工法によると寸法合わせのために一部を切断したサイディング材に対する釘打ちや、その補修跡が生ずることもないので、その仕上がりの状態を良好にすることができる。
【図面の簡単な説明】
【００２４】
【図１】この発明にかかる取付金具を用い、窓下部に対応させて一部を切断したサイディング材の施工例を示した断面図である。
【図２】同じく軒天部や窓上部に対応させて一部を切断したサイディング材の施工例を示した断面図である。
【図３】前記取付金具を構成するクリップ金具の基本三面図および断面図である。
【図４】前記取付金具を構成するクリップ受け金具の側面図である。
【図５】下端部に配置されるサイディング材の受け金具（スタータ金具）の例を示した側面図である。
【図６】サイディング材の切断小口に係止穴を穿設する例およびクリップ金具を取り付ける例を示した斜視図である。
【図７】従来のサイディング材の施工例を示した断面図である。
【図８】図７に示す施工例において用いられる従来の取付金具の例を示した斜視図である。
【発明を実施するための形態】
【００２５】
以下、この発明にかかるサイディング材の取付金具および当該取付金具を用いたサイディング材の取付構造について、図に示す実施の形態に基づいて説明する。
なお、以下においては、各図における同一部分はそれぞれ同一符号を用いて説明し、すでに説明した図７および図８に示す各部に相当する部分も同一符号を用いて説明する。
【００２６】
図１は、前記した窯業系サイディング材を用い、当該サイディング材を前記取付金具を介して建物の下地材に取り付けた第１の例を示すものである。
すなわち、図１は、サイディング材を建物の下地に沿って順次垂直方向に積み上げ、例えば窓下部に寸法を合わせるために一部を切断したサイディング材１を支持するこの発明に係るクリップ金具およびクリップ受け金具からなる取付金具を用いたサイディング材の施工例を示している。
【００２７】
建物の最も下端部に配置されるサイディング材１は、このサイディング材の雌実２に沿ってサイディング材を支持する受け金具（スタータ金具）１１によって支持される。
このスタータ金具１１は、図１に示すように建物の下地材７に対して、一般に長手方向が水平状態となるようにビス６により締結され、サイディング材１の雌実２に入り込む上向きの係止部により、サイディング材１を下から支持するようになされる。
【００２８】
図５は、前記スタータ金具１１を長手方向の端部から視た状態の側面図で示したものである。このスタータ金具１１は、アルミ押出材により前記サイディング材の長さ方向と同程度の長尺状（レール状）に形成されており、建物の下地材７に接する垂直面を備えたベース部１１ａと、このベース部に直交するように成形された水平部１１ｂと、この水平部に対して上向きに折れ曲がるように成形された係止部１１ｃより構成されている。
なお、前記水平部１１ｂには、長手方向に沿って間欠的に複数の水抜き穴１１ｄが形成されており、これにより前記水平部１１ｂに雨水が溜まり、寒冷地において雨水の凍結にによるサイディング材が受ける凍害が防止できるように配慮されている。
【００２９】
前記スタータ金具１１を用いて施工された下端部のサイディング材１を基準にして、順次サイディング材が積み上げられるようにして施工される。この場合、中間に位置するサイディング材は、すでに説明した例えば図８に示した例と同様な取付金具８を用いてそれぞれ施工される。
【００３０】
図１における上半部は、例えば窓下部において、寸法合わせのために一部を切断してなるサイディング材１の施工例を示したものである。この場合には、例えば窓部を構成するサッシ１２の直下に沿うようにして、サイディング材１の一部が例えばノコギリ等を用いて切断（カット）され、寸法合わせが行なわれる。
【００３１】
続いて、一部が切断されたサイディング材１は、その切断小口に取り付けられるクリップ金具１３と、下地材７にビス６により固定されて前記クリップ金具１３を係止するクリップ受け金具１４とによる取付金具（切断部施工金具）を利用して施工される。なお、前記サッシ１２とサイディング材１の切断部との間の隙間には、図１に示すようにシール剤１５が適宜充填されて隙間を埋めるように処理される。
【００３２】
図３は、前記した取付金具（切断部施工金具）の一方を構成するクリップ金具１３について示したものである。なお、図３における（Ａ）はクリップ金具１３の上面図、（Ｂ）は正面図、（Ｃ）は側面図、（Ｄ）は（Ｂ）におけるａ−ａ線より矢印方向に視た断面図で示している。
【００３３】
前記クリップ金具１３は、図３に示したように矩形状になされた例えばステンレス鋼板を折り曲げ加工して形成したものであり、面が鉛直方向の姿勢になされるベース板１３ａの上部に水平部１３ｂが折り曲げ形成され、ベース板１３ａの下端部には狭い水平部１３ｃを介して掛止め部１３ｄ，１３ｅが形成されている。
前記ベース板１３ａと水平部１３ｂとの直交部には、両者に跨がるようにして複数の補強リブ（図示例においては２条のリブ）１３ｆが突き出し加工により形成されている。
【００３４】
また、前記水平部１３ｂのほぼ中央部にはＨ状の切り込み加工が施され、対向する根元部分が前記ベース板１３ａの方向に折り曲げられて、一対の差込み部１３ｇが形成されている。さらに、前記ベース板１３ａのほぼ中央部には、図３（Ｄ）に示されたように、前記一対の差込み部１３ｇ側に向かって突起部１３ｈが切り起こし加工により形成されている。なお、前記掛止め部１３ｄ，１３ｅは、幅方向の中央部において互いに逆方向に向くように加工され、これにより上向き掛止め片１３ｄと、下向き掛止め片１３ｅが形成されている。
加えて、前記水平部１３ｂの長手方向の両端部には、それぞれ補強用の折曲げ部１３ｉが上向きに形成されており、これにより前記水平部１３ｂに一対の差込み部１３ｇが形成されることにより生ずる前記水平部１３ｂの強度の低下を補強するようになされている。
【００３５】
一方、図４は前記した取付金具（切断部施工金具）の他方を構成するクリップ受け金具１４を示したものであり、この図４はクリップ受け金具１４を長手方向の端部から視た状態の側面図で示している。
前記クリップ受け金具１４は、アルミ押出材により前記サイディング材の長さ方向と同程度の長尺状（レール状）に形成されており、一般に長手方向が水平状態となるように下地材７に対して前記したビス６により固定される。
【００３６】
このクリップ受け金具１４は、前記下地材７に固定された状態において、前記下地材７に接するベース部１４ａを中央にして、その上下の両端部に第１と第２の落とし口１４ｂ，１４ｃが、それぞれ上向き状態に形成されている。
すなわち、第１の落とし口１４ｂは、クリップ受け金具１４と建物の下地材７との間の隙間により構成された落とし溝になされ、前記第２の落とし口１４ｃは、クリップ受け金具１４の下端部をＵ字状に折り返して加工することにより構成された落とし溝になされている。
【００３７】
次に図６は、寸法合わせのために一部を切断したサイディング材の切断小口に、係止穴を穿設する例および前記クリップ金具１３を取り付ける例を示した斜視図である。
すなわち、図１に示したサイディング材の施工に先立って、図６（Ａ）に示すように寸法合わせのために一部を切断したサイディング材１の切断小口１ｃには、予め係止穴が穿設される。
【００３８】
この場合、サイディング材１の切断小口１ｃに係止穴を穿設させるための治具２１が利用される。この治具２１は、金属板をＬ字状に折り曲げ加工したものであり、折り曲げ加工された一方がサイディング材１の裏面に当接されると共に、他方がサイディング材１の切断小口１ｃに当接されて位置決めされる。
そして、サイディング材の切断小口１ｃ側に当接した面に形成されたガイド孔２１ａを利用して、ドリル２２を用いて切断小口に２つの係止穴を穿設させる。
【００３９】
続いて、図６（Ｂ）に示すようにクリップ金具１３を、前記切断小口１ｃに装着させる。この場合、クリップ金具１３に形成された一対の差込み部１３ｇを切断小口１ｃに穿設された前記係止穴に差し込むことで、クリップ金具１３を前記切断小口に装着させることができる。
【００４０】
なお、図１の上半部に示す例は、前記したとおり例えば窓下部におけるサイディング材１の施工例を示したものであり、この場合においては、上向きの切断小口にクリップ金具１３の差込み部１３ｇが差し込まれる。
そして、クリップ金具１３をサイディング材１の切断小口に向かってスライドさせる操作を行うことにより、クリップ金具１３に形成された下向きの掛止め片１３ｅが、下地材に固定されたクリップ受け金具１４の上側の落とし口１４ｂに係止される。
これにより窓下部に位置するサイディング材１を施工することができ、前記したとおり窓下部に配置されるサッシ１２と、サイディング材１の切断部との間の隙間には、シール剤１５が充填されて仕上げ状態になされる。
【００４１】
図２は、例えば軒天部および窓上部に寸法を合わせるために一部を切断したサイディング材１を取り付けるこの発明に係る取付金具を用いたサイディング材の第２の施工例を示したものである。
すなわち、図２に示す上半部は、軒天部におけるサイディング材の施工例を示し、下半部は、窓上部におけるサイディング材の施工例を示している。
【００４２】
図２の上半部に示す軒天部におけるサイディング材の施工例は、すでに説明した図１に示す窓下部におけるサイディング材の施工例と同様であり、したがってその詳細な説明は省略する。なお、図２の上半部に示す例においては、軒天部にサイディング材を施工した後に、軒天部に見切材１７が取り付けられ、見切材１７の取り付け孔にシール剤１５が充填された状態になされる。
【００４３】
一方、図２の下半部に示す窓上部におけるサイディング材の施工にあたっては、図６に示した手順にしたがって、サイディング材１の切断小口１ｃにクリップ金具１３が取り付けられる。
そして、サイディング材１の施工にあたっては、クリップ金具１３が装着された状態のサイディング材１の切断小口が下向きになるようにして、クリップ金具１３に形成された上向きの掛止め部１３ｄを、下地材に固定されたクリップ受け金具１４の下側の落とし口１４ｃに係止させることで、サイディング材１を装着することができる。
加えて後処理として、窓下部に配置されるサッシ１８と、サイディング材１の切断部との間の隙間には、シール剤１５が充填することで施工が完了する。
【００４４】
なお、前記したように窓上部におけるサイディング材の施工にあたっては、クリップ金具１３が装着された状態のサイディング材１の切断小口が下向きになるようにして装着することになるが、クリップ金具に形成された前記突起部１３ｈがサイディング材１の裏面に当接し、重力によりクリップ金具の差込み部１３ｇが前記サイディング材から抜け出て、クリップ金具１３が落下するのを阻止するように作用する。これにより、サイディング材を能率的にかつ円滑に施工することができる。
【００４５】
加えて、前記した構成のサイディング材の取付金具によると、サイディング材側に装着されるクリップ金具１３には、互いに逆方向に向く上向き掛止め片１３ｄと、下向き掛止め片１３ｅを備えた構成にされ、また下地材に固定されクリップ受け金具１４には、上下に第１の溝状の落とし口１４ｂと、第２の溝状の落とし口１４ｃが形成されている。
したがって、前記掛止め片と溝状の落とし口の組み合わせを選択することで、窓上部および窓下部（軒天部）にかかわらず、共通の金具を用いてサイディング材の施工を実現することができるなど、前記した発明の効果の欄に記載したとおりの作用効果を得ることができる。
【符号の説明】
【００４６】
１      サイディング材
１ｃ    切断小口
２      雌実
３      雄実
６      固定ビス
７      下地材
１１    スタータ金具
１３    クリップ金具
１３ａ  ベース板
１３ｄ  上向き掛止め部
１３ｅ  下向き掛止め部
１３ｇ  差込み部
１３ｈ  突起部
１４    クリップ受け金具
１４ｂ  第１の落とし口
１４ｃ  第２の落とし口
【図１】
0005507395.tif 000002
【図２】
0005507395.tif 000003
【図３】
0005507395.tif 000004
【図４】
0005507395.tif 000005
【図５】
0005507395.tif 000006
【図６】
0005507395.tif 000007
【図７】
0005507395.tif 000008
【図８】
0005507395.tif 000009